(57)【要約】      （修正有）【課題】魚釣用リールに装着され、手で回されるキャップの滑り止め効果を保ち、かつ、キャップの変形を抑える釣用リール用キャップの提供。【解決手段】釣用リール用キャップは、魚釣用リールのリール本体に装着されるキャップ１０であって、リール本体に形成されたねじに螺合する雄ねじ１７が形成された筒部１３、および、筒部１３の外側面に形成された径方向外方に突出する突起１６、を有する有底筒状のキャップ本体１１と、キャップ本体１１の突起１６の一部が嵌まる凹部２２が形成され、突起１６の少なくとも一部を径方向外方に露出させて、キャップ本体１１の外側面に嵌合する、環状の補強部材２１と、を備える。【選択図】図４
2020092683.tif 000002
【特許請求の範囲】
【請求項１】
魚釣用リールのリール本体に装着される釣用リール用キャップであって、
前記リール本体に形成されたねじに螺合するねじが形成された筒部、および、前記筒部の外側面に形成された径方向外方に突出する突起、を有する有底筒状のキャップ本体と、
前記キャップ本体の前記突起の一部が嵌まる凹部が形成され、前記突起の少なくとも一部を径方向外方に露出させて、前記キャップ本体の外側面に嵌合する、環状の補強部材と、
を備える釣用リール用キャップ。
【請求項２】
前記キャップ本体の前記筒部は、前記リール本体に形成されたねじに螺合するねじが形成された内筒部と、前記内筒部の径方向外周を囲み、かつ、外側面に前記突起が形成された外筒部と、を有する、請求項１に記載の釣用リール用キャップ。
【請求項３】
前記補強部材は、前記キャップ本体の底部の側の外周を覆う、請求項１に記載の釣用リール用キャップ。
【請求項４】
前記キャップ本体は底部に、前記筒部の軸方向に貫通する係合孔が形成され、
前記補強部材は、前記係合孔に嵌合し、かつ、前記キャップ本体の内側で前記係合孔の縁に係止する爪が形成された、係合突起を有する、
請求項３に記載の釣用リール用キャップ。
【請求項５】
前記補強部材は、前記外筒部の底部とは反対側の縁の外周を覆う、請求項２に記載の釣用リール用キャップ。
【請求項６】
前記補強部材は、前記内筒部と前記外筒部の間の底部まで達する内周部を有し、
前記釣用リール用キャップは、前記内筒部と前記外筒部の間の、前記内筒部の外側面に嵌合するＯリングをさらに備える、
請求項５に記載の釣用リール用キャップ。
【請求項７】
前記釣用リール用キャップは、スピニングリールのハンドル装着部に装着される、請求項１から６のいずれか１項に記載の釣用リール用キャップ。
【請求項８】
前記釣用リール用キャップは、両軸受リールのスプール軸支持部に装着される、請求項１から６のいずれか１項に記載の釣用リール用キャップ。
【発明の詳細な説明】
【技術分野】
【０００１】
本発明は、魚釣用リールに装着され、手で回される釣用リール用キャップに関する。
【背景技術】
【０００２】
魚釣り用のスピニングリールでは、仕掛けをキャストしたり仕掛けを水中で動かしたりするために、釣り竿を利き手で持ち、ハンドルを他の手で操作することが多い。そのためスピニングリールは通常、ロータを回転させるハンドルの取付位置を、釣り人の利き手に合わせて左右のいずれにも取り付けられるようになっている。スピニングリールでは、左右のハンドル装着軸のいずれにもハンドルを取り付けられるように、リール本体には左右に穴が形成されているが、ハンドルを取り付けていない方の穴にはハンドル装着軸を保護するキャップが装着される。
【０００３】
スピニングリールで泳がせ釣りを行ったり、仕掛けやルアーを釣り糸に結んだりするときに、スピニングリールを取り付けた釣り竿を地面や船上に置く場合がある。釣り竿を地面に置いたときに、ベールやロータが傷つくのを防ぐために、例えば特許文献１に記載されているように、ハンドルを取り付けていない側の穴に装着するリールスタンドが知られている。リールスタンドは、キャスティングやリール単体での持ち歩きには邪魔なので、スピニングリールに常時装着されるわけではなく、スタンドとして釣り人が使うときだけ装着される。そこで、ハンドル装着軸を保護するキャップは、手で回して脱着できる必要がある。
【０００４】
両軸受リールでは、キャスティングコントロール機構でスプールの制動力を調節するために、例えば、特許文献２に記載されているように、摩擦プレートでスプール軸を挟む力を調節できるものがある。摩擦プレートで挟む力を調節するためには、例えば、リール本体のスプール軸の延長に装着されたキャップを回して、摩擦プレートの押圧力を変化させる。仕掛けや周囲の状況に応じて制動力を調節するために、キャップは手で回せることが必要である。
【先行技術文献】
【特許文献】
【０００５】
【特許文献１】特開２００４−４１１３８号公報
【特許文献２】特開２０１３−２３６６０６号公報
【発明の概要】
【発明が解決しようとする課題】
【０００６】
スピニングリールのハンドル装着軸を保護するキャップは、ハンドルを左右で付け替えるとき、およびリールスタンドを着脱するときに、取り外されまた取り付けられる。キャップは通常、ハンドル保護部に形成されているねじに螺合しているので、手でつまんで回される。キャップの外周には、手で操作するための滑り止め凹凸を設けることが望ましい。キャップの外周に形成されたローレットなどの細かい溝では滑りやすいが、キャップが樹脂成形品の場合は、指にかかりやすい凹凸を設けることができる。
【０００７】
樹脂成形品の場合、強い力でつまむと変形する虞があり、変形を抑えるために外周に環状の補強部材を嵌合させる場合がある。しかし、環状の補強部材を嵌合させるとその部分には凹凸が設けられない。また、キャップ本体と補強部材との間に回り止めが必要になり、キャップ全体が径方向に大型化する虞がある。両軸受リールの制動力を調節するキャップについても、事情は同様である。
【０００８】
本発明は上述の事情に鑑みてなされたもので、魚釣用リールに装着され、手で回されるキャップの滑り止め効果を保ち、かつ、キャップの変形を抑えることを目的とする。
【課題を解決するための手段】
【０００９】
本発明の観点に係る釣用リール用キャップは、魚釣用リールのリール本体に装着される釣用リール用キャップであって、リール本体に形成されたねじに螺合するねじが形成された筒部、および、筒部の外側面に形成された径方向外方に突出する突起、を有する有底筒状のキャップ本体と、キャップ本体の突起の一部が嵌まる凹部が形成され、突起の少なくとも一部を径方向外方に露出させて、キャップ本体の外側面に嵌合する、環状の補強部材と、を備える。
【００１０】
好ましくは、キャップ本体の筒部は、リール本体に形成されたねじに螺合するねじが形成された内筒部と、内筒部の径方向外周を囲み、かつ、外側面に突起が形成された外筒部と、を有する。
【００１１】
好ましくは、補強部材は、キャップ本体の底部の側の外周を覆う。
【００１２】
好ましくはさらに、キャップ本体は底部に、筒部の軸方向に貫通する係合孔が形成され、補強部材は、係合孔に嵌合し、かつ、キャップ本体の内側で係合孔の縁に係止する爪が形成された、係合突起を有する。
【００１３】
あるいは、補強部材は、外筒部の底部とは反対側の縁の外周を覆ってもよい。
【００１４】
補強部材が外筒部の底部とは反対側の縁の外周を覆う場合、好ましくは、補強部材は、内筒部と外筒部の間の底部まで達する内周部を有し、釣用リール用キャップは、内筒部と外筒部の間の、内筒部の外側面に嵌合するＯリングをさらに備える。
【００１５】
例えば、釣用リール用キャップは、スピニングリールのハンドル装着部に装着される。
【００１６】
あるいは、釣用リール用キャップは、両軸受リールのスプール軸支持部に装着されてもよい。
【発明の効果】
【００１７】
本発明によれば、キャップ本体に嵌合される環状の補強部材に、キャップ本体の突起の一部が嵌まる凹部が形成され、突起の少なくとも一部を径方向外方に露出させるので、キャップの滑り止め効果を保ち、かつ、キャップの変形を抑えることができる。
【図面の簡単な説明】
【００１８】
【図１】本発明の実施の形態に係る釣用リール用キャップが装着されるスピニングリールの側面図
【図２】実施の形態に係る釣用リール用キャップが装着されるスピニングリールの背面図
【図３】実施の形態１に係る釣用リール用キャップの外観斜視図
【図４】実施の形態１に係る釣用リール用キャップの断面斜視図
【図５】実施の形態１に係る釣用リール用キャップの分解斜視図
【図６】本発明の実施の形態２に係る釣用リール用キャップの外観斜視図
【図７】実施の形態２に係る釣用リール用キャップの断面斜視図
【図８】本発明の実施の形態３に係る釣用リール用キャップの断面斜視図
【図９】本発明の実施の形態４に係る釣用リール用キャップの断面斜視図
【発明を実施するための形態】
【００１９】
以下、本発明の実施の形態について図面を参照して詳細に説明する。なお図中、同一または同等の部分には同一の符号を付す。
【００２０】
実施の形態１．
図１は、本発明の実施の形態に係る釣用リール用キャップが装着されるスピニングリールの側面図である。スピニングリール２００は、図１に示すように釣竿Ｒに取り付けられる。スピニングリール２００は、釣竿Ｒの長手方向に沿った、図１の左右方向の軸回りに釣り糸を巻き取るリールであって、ハンドル２１１を備えたリール本体２１２と、リール本体２１２の前部に回転自在に支持されたロータ２１３と、ロータ２１３の前部に配置され、釣り糸を巻き取るためのスプール２１４と、を備える。スピニングリール２００は、ハンドル２１１を回すことによってロータ２１３が回転し、スプール２１４に釣糸を巻き取るようにするための機構をリール本体２１２の内部に備えている。
【００２１】
リール本体２１２は、釣竿Ｒに装着される前後に長い取付部２１２ｃと、内部に巻き取り機構を収納したリールボディ２１２ａと、取付部２１２ｃとリールボディ２１２ａとを連結する脚部２１２ｂとを有している。リール本体２１２は、たとえば合成樹脂製またはアルミニウム合金やマグネシウム合金などの合金製である。
【００２２】
図２は、実施の形態に係る釣用リール用キャップが装着されるスピニングリールの背面図である。リール本体２１２の左右両側には、ハンドル２１１が着脱可能に装着される、図示しないハンドル装着軸を保護する円筒状の保護部２２０ａ、２２０ｂが突出して形成されている。ハンドル２１１は、ユーザの好みにより左右のハンドル装着軸のいずれにも装着可能であり、図２では保護部２２０ａの側のハンドル装着軸に装着されている。ハンドル２１１が装着されていない側の保護部２２０ｂには、ハンドル装着軸を保護するキャップ１０が装着されている。
【００２３】
図２の円内に記載したキャップ１０の断面図に示すように、キャップ１０には雄ネジ１７が形成されている。保護部２２０ａ、２２０ｂにはその内側に図示しない雌ねじが形成されており、キャップ１０の雄ねじ１７と螺合可能である。
【００２４】
図３は、実施の形態１に係る釣用リール用キャップの外観斜視図である。キャップ１０は、有底筒状のキャップ本体１１と、キャップ本体１１の底の中心部を露出してキャップ本体１１の外側面に嵌合する、環状の補強部材２１とから構成される。キャップ本体１１には、径方向外方に突出する突起１６が外側面に形成されている。図３の例では、外側面の４箇所に突起１６が形成されている。環状の補強部材２１には、キャップ本体１１のそれぞれの突起１６の少なくとも一部を径方向外方に露出させ、突起１６の一部が嵌まる凹部２２が形成されている。突起１６と凹部２２の数は４に限らないが、２以上の突起１６を有することが好ましい。また、突起１６と凹部２２の周上の位置は特に限定はないが、回転対称の位置に配置されることが望ましい。
【００２５】
図４は、実施の形態１に係る釣用リール用キャップの断面斜視図である。キャップ本体１１は、内筒部１５と、内筒部１５の径方向外周を囲み、かつ、外側面に突起１６が形成された外筒部１４と、を有する。内筒部１５と外筒部１４とは、キャップ本体１１の筒部１３を構成する。図４にはねじの条が示されていないが、内筒部１５には、リール本体２１２の保護部２２０ａ、２２０ｂに形成されている雌ねじに螺合する雄ねじ１７が形成されている。補強部材２１は、キャップ本体１１の底部１２の側の外周を覆って、外筒部１４の外側面に嵌合している。
【００２６】
キャップ本体１１は底部１２に、筒部１３の軸方向に貫通する係合孔１９が形成されている。補強部材２１は、係合孔１９に嵌合する係合突起２４を有する。係合突起２４には、キャップ本体１１の内側で係合孔１９の縁に係止する爪２５が形成されている。係合突起２４を係合孔１９に挿入して押し込むと、係合突起２４の爪２５がキャップ本体１１の内側で係合孔１９の縁に係止され、補強部材２１は、キャップ本体１１から離脱することがない。
【００２７】
図５は、実施の形態１に係る釣用リール用キャップの分解斜視図である。補強部材２１には、円環に沿って複数箇所、図５の例では回転対称の位置に４箇所、係合突起２４が形成されている。キャップ本体１１には、底部１２から筒部１３の内側に貫通する係合孔１９が、係合突起２４の位置に合わせて円周上に複数箇所、形成されている。
【００２８】
補強部材２１の係合突起２４のそれぞれを、キャップ本体１１の係合孔１９に挿入して押し込み、補強部材２１をキャップ本体１１に嵌合させると、係合突起２４の爪２５をキャップ本体１１の内側で係合孔１９の縁に係止させることができる。それぞれの爪２５が係止されると、爪２５は相反する方向に向いているので、係止がはずれることはなく、補強部材２１はキャップ本体１１から容易に離脱しない。爪２５の向きは径方向外方には限らず、径方向内方に向かっていてもよい。また、一部の係合突起２４に径方向外方の爪２５を形成し、他の係合突起２４には径方向内方の爪２５を形成することもできる。
【００２９】
補強部材２１がキャップ本体１１に嵌合した状態では、突起１６はそれぞれ補強部材２１の凹部２２に一部が嵌まっているので、補強部材２１はキャップ本体１１に対して回ることがない。突起１６はそれぞれ、一部が径方向外方に補強部材２１から露出しているので、キャップ１０を操作する手の指先が突起１６にかかって指先の滑るのが防止される。キャップ本体１１を外側面の対向する２箇所で挟むと、キャップ本体１１は挟んだ方向に圧縮され、直交する方向に拡がろうとするが、環状の補強部材２１で抑えられるので、直交する方向の拡張が抑えられ、その結果、圧縮する方向の変形が抑制される。キャップ１０を回そうとするときに、キャップ１０の変形が抑えられるので、キャップ１０をスムーズに回すことができる。
【００３０】
補強部材２１には、突起１６が嵌合する凹部２２のほかに、係合突起２４に周方向に隣接して切り欠き２６が形成されている。この切り欠き２６が形成されることによって、係合突起２４の先端が径方向に弾性変形しやすくなり、係合突起２４を係合孔１９に挿入したときに係合突起２４がたわんで、爪２５を係止させやすい。
【００３１】
キャップ本体１１に補強部材２１を固定する方法は、係合孔１９と係合突起２４の組み合わせには限らない。例えば、外筒部１４の外側面に、周方向に延びる溝を形成し、補強部材２１の縁の内周に、径方向内方に向かう凸部を形成して、溝と凸部を係合させる方法でもよい。溝と凸部を逆にして、外筒部１４の外側面に凸部を形成し、補強部材２１の内周面に溝を形成して、凸部と溝を係合させることもできる。係合孔１９および係合突起２４と溝および凸部を併用してもよい。その他、接着剤でキャップ本体１１に補強部材２１を固定してもよい。また、係合孔１９および係合突起２４と接着剤を併用してもよいし、溝および凸部と接着剤を併用してもよい。
【００３２】
実施の形態１のキャップ１０の構造は、スピニングリール２００の保護部２２０ａ、２２０ｂに嵌合するだけに限らない。例えば、両軸受リールのキャスティングコントロール機構で、リール本体のボス部の内周に雌ねじを形成して、キャスティングコントロール機構のキャップとして用いることができる。
【００３３】
実施の形態２．
図６は、本発明の実施の形態２に係る釣用リール用キャップの外観斜視図である。実施の形態１と同様に、キャップ１０は、有底筒状のキャップ本体１１と、キャップ本体１１の外側面に嵌合する、環状の補強部材２１とから構成される。実施の形態２では、補強部材２１は、キャップ本体１１の底部１２とは反対側の縁の外周を覆う。
【００３４】
キャップ本体１１には、実施の形態１と同様に、径方向外方に突出する突起１６が外側面に形成されている。図６の例では、外側面の４箇所に突起１６が形成されている。環状の補強部材２１には、キャップ本体１１のそれぞれの突起１６の少なくとも一部を径方向外方に露出させ、突起１６の一部が嵌まる凹部２２が形成されている。実施の形態２では、筒部１３の縁の側で、突起１６の一部が凹部２２に嵌まる。突起１６と凹部２２の数は４に限定されないが、２以上であることが好ましい。
【００３５】
図７は、実施の形態２に係る釣用リール用キャップの断面斜視図である。キャップ本体１１は、内筒部１５と、内筒部１５の径方向外周を囲み、かつ、外側面に突起１６が形成された外筒部１４と、を有する。内筒部１５と外筒部１４とは、キャップ本体１１の筒部１３を構成する。図７にはねじの条が示されていないが、内筒部１５には、リール本体の保護部に形成されている雌ねじに螺合する雄ねじ１７が形成されている。補強部材２１は、キャップ本体１１の外筒部１４の底部１２とは反対側の縁の外周を覆って、外筒部１４の外側面に嵌合している。
【００３６】
補強部材２１は、内筒部１５と外筒部１４の間の底部１２まで達する内周部２３を有する。補強部材２１は、外筒部１４の外側面に嵌合する外周部と内周部２３とで、外筒部１４の縁を挟む構造である。内筒部１５と外筒部１４の間には、内筒部１５の外側面に嵌合する弾性体のＯリング３０が嵌められている。Ｏリング３０は、キャップ本体１１から補強部材２１が離脱するのを防止している。Ｏリング３０は、リール本体２１２に形成されている保護部２２０ａ、２２０ｂの端面に当接して、キャップ１０の緩み止めを兼ね、また、水と塵がリール本体に侵入するのを防止する。
【００３７】
実施の形態２でも、補強部材２１がキャップ本体１１に嵌合した状態では、突起１６はそれぞれ補強部材２１の凹部２２に一部が嵌まっているので、補強部材２１はキャップ本体１１に対して回ることがない。突起１６はそれぞれ、一部が径方向外方に補強部材２１から露出しているので、キャップ１０を操作する手の指先が突起１６にかかって指先の滑るのが防止される。キャップ本体１１を外側面の対向する２箇所で挟むと、キャップ本体１１は挟んだ方向に圧縮され、直交する方向に拡がろうとするが、環状の補強部材２１で抑えられるので、直交する方向の拡張が抑えられ、その結果、圧縮する方向の変形が抑制される。キャップ１０を回そうとするときに、キャップ１０の変形が抑えられるので、キャップ１０をスムーズに回すことができる。
【００３８】
実施の形態２の補強部材２１は、外筒部１４の外側面に嵌合する外周部と内周部２３とで、キャップ本体１１の外筒部１４を挟む構造なので、内周部２３が内筒部１５と外筒部１４の間の底部１２まで達していなくても、キャップ本体１１から容易に離脱することはない。図６および図７に示されるキャップ本体１１は、内筒部１５と外筒部１４の間の底部１２に隙間２７が空いている。補強部材２１の内周部２３は、その隙間２７を塞いでおり、外から隙間２７を通して内周部２３が見える。内周部２３の内筒部１５と外筒部１４の間の底部１２に達する部分は、Ｏリング３０が隙間２７に入り込むのを抑えている。
【００３９】
実施の形態３．
図８は、本発明の実施の形態３に係る釣用リール用キャップの断面斜視図である。実施の形態３のキャップ１０は、例えば両軸受リールのキャスティングコントロール機構のキャップのように、リール本体から突出して形成されているボス部に螺合される。あるいは、スピニングリール２００の保護部２２０ａ、２２０ｂの外周に雄ねじが形成され、キャップ１０に雌ねじが形成されている場合である。実施の形態１と同様に、キャップ１０は、有底筒状のキャップ本体１１と、キャップ本体１１の外側面に嵌合する、環状の補強部材２１とから構成される。実施の形態３のキャップ１０の外観は、図３に類似する。実施の形態３では、筒部１３は外筒部と内筒部の２重構造ではなく、１重の筒部１３で構成される。図８にはねじの条が示されていないが、筒部１３の内周面に雌ねじ１８が形成されている。キャップ本体１１の内周面に形成された雌ねじ１８は、リール本体のボス部に形成された雄ねじに螺合する。
【００４０】
キャップ１０は、実施の形態１と同様に、有底筒状のキャップ本体１１と、キャップ本体１１の底の中心部を露出してキャップ本体１１の外側面に嵌合する、環状の補強部材２１とから構成される。キャップ本体１１には、径方向外方に突出する突起１６が外側面の４箇所に形成されている。環状の補強部材２１には、キャップ本体１１のそれぞれの突起１６の少なくとも一部を径方向外方に露出させ、突起１６の一部が嵌まる凹部２２が形成されている。突起１６と凹部２２の数は４に限定されないが、２以上であることが好ましい。
【００４１】
補強部材２１は、キャップ本体１１の底部１２の側の外周を覆って、筒部１３の外側面に嵌合している。実施の形態１と同様に、キャップ本体１１は底部１２に、筒部１３の軸方向に貫通する複数の図示しない係合孔が形成されている。補強部材２１は、係合孔に嵌合する係合突起２４を有する。係合突起２４には、キャップ本体１１の内側で係合孔の縁に係止する爪２５が形成されている。係合突起２４を係合孔に挿入して押し込むと、係合突起２４の爪２５がキャップ本体１１の内側で係合孔の縁に係止され、補強部材２１は、キャップ本体１１から離脱することがない。
【００４２】
補強部材２１がキャップ本体１１に嵌合した状態では、突起１６はそれぞれ補強部材２１の凹部２２に一部が嵌まっているので、補強部材２１はキャップ本体１１に対して回ることがない。突起１６はそれぞれ、一部が径方向外方に補強部材２１から露出しているので、キャップ１０を操作する手の指先が突起１６にかかって指先の滑るのが防止される。キャップ本体１１を外側面の対向する２箇所で挟むと、キャップ本体１１は挟んだ方向に圧縮され、直交する方向に拡がろうとするが、環状の補強部材２１で抑えられるので、直交する方向の拡張が抑えられ、その結果、圧縮する方向の変形が抑制される。キャップ１０を回そうとするときに、キャップ１０の変形が抑えられるので、キャップ１０をスムーズに回すことができる。
【００４３】
実施の形態３でも、実施の形態１で説明したように、キャップ本体１１に補強部材２１を固定する方法は、係合孔１９と係合突起２４の組み合わせには限らない。外筒部１４の外側面と補強部材２１の縁の内周に形成された、溝と凸部を係合させる方法でもよい。接着剤でキャップ本体１１に補強部材２１を固定してもよい。また、それらの固定方法を併用してもよい。
【００４４】
実施の形態４．
図９は、本発明の実施の形態４に係る釣用リール用キャップの断面斜視図である。実施の形態４に係るキャップ１０は、実施の形態３と同様に、リール本体から突出して形成されているボス部に螺合される。実施の形態１と同様に、キャップ１０は、有底筒状のキャップ本体１１と、キャップ本体１１の外側面に嵌合する、環状の補強部材２１とから構成される。実施の形態４のキャップ１０の外観は、図６に類似する。実施の形態４では、筒部１３は外筒部と内筒部の２重構造ではなく、１重の筒部１３で構成される。図９にはねじの条が示されていないが、筒部１３の内周面に雌ねじ１８が形成されている。キャップ本体１１の内周面に形成された雌ねじ１８は、リール本体のボス部に形成された雄ねじに螺合する。
【００４５】
キャップ本体１１には、実施の形態２と同様に、径方向外方に突出する４つの突起１６が外側面に形成されている。図６の例では、外側面の４箇所に突起１６が形成されている。環状の補強部材２１には、キャップ本体１１のそれぞれの突起１６の少なくとも一部を径方向外方に露出させ、突起１６の一部が嵌まる凹部２２が形成されている。実施の形態２では、筒部１３の縁の側で、突起１６の一部が凹部２２に嵌まる。補強部材２１は、キャップ本体１１の筒部１３の底部１２とは反対側の縁の外周を覆って、筒部１３の外側面に嵌合している。突起１６と凹部２２の数は４に限定されないが、２以上であることが好ましい。
【００４６】
補強部材２１は、筒部１３の外側面に嵌合する外周部と内周部２３とで、筒部１３の縁を挟む構造である。キャップ本体１１の筒部１３は、内周面に段が付けられて、内径の大きい周縁に補強部材２１が嵌まり、内径が一段小さくなった部分に雌ねじ１８が形成されている。
【００４７】
実施の形態４でも、補強部材２１がキャップ本体１１に嵌合した状態では、突起１６はそれぞれ補強部材２１の凹部２２に一部が嵌まっているので、補強部材２１はキャップ本体１１に対して回ることがない。突起１６はそれぞれ、凹部２２から一部が径方向外方に露出しているので、キャップ１０を操作する手の指先が突起１６にかかって指先の滑るのが防止される。キャップ本体１１を外側面の対向する２箇所で挟むと、キャップ本体１１は挟んだ方向に圧縮され、直交する方向に拡がろうとするが、環状の補強部材２１で抑えられるので、直交する方向の拡張が抑えられ、その結果、圧縮する方向の変形が抑制される。キャップ１０を回そうとするときに、キャップ１０の変形が抑えられるので、キャップ１０をスムーズに回すことができる。
【符号の説明】
【００４８】
１０    キャップ
１１    キャップ本体
１２    底部
１３    筒部
１４    外筒部
１５    内筒部
１６    突起
１７    雄ねじ
１８    雌ねじ
１９    係合孔
２１    補強部材
２２    凹部
２３    内周部
２４    係合突起
２５    爪
２６    切り欠き
２７    隙間
３０    Ｏリング
２００    スピニングリール
２１１    ハンドル
２１２    リール本体
２１２ａ  リールボディ
２１２ｂ  脚部
２１２ｃ  取付部
２１３    ロータ
２１４    スプール
２２０ａ、２２０ｂ  保護部
Ｒ    釣竿
【図１】
2020092683.tif 000003
【図２】
2020092683.tif 000004
【図３】
2020092683.tif 000005
【図４】
2020092683.tif 000006
【図５】
2020092683.tif 000007
【図６】
2020092683.tif 000008
【図７】
2020092683.tif 000009
【図８】
2020092683.tif 000010
【図９】
2020092683.tif 000011